Podtech/llm-jp-corpus-v4-ja_patent huggingface dataset:
(57)【要約】      （修正有）【課題】外来のコーヒーや紅茶などと日本古来の「わび、さび」を連想する茶法との両面茶法を手本として、創作改善した近代茶法を普及させ、ストレスの解消と癒しの心を養う。【解決手段】ストレスの解消と癒し感覚の促進を図るため、花茶を透明容器（茶具）に入れ、色素を加えて色調を整え、花茶ムードを演出し、喫茶できるようにする。又、花茶用具をセットにして販売する。【選択図】          図１
2004194629.tif 000002
【特許請求の範囲】
【請求項１】
花茶の喫茶は、透明容器（茶具）を用い、色素を加えて色調を整え、花茶ムードの演出を図り、以ってストレスの解消と癒し感覚の促進を図ることを特徴とした花茶の喫茶と販売方法。
【請求項２】
花茶の喫茶に係る普及の促進を図るための手段として、花茶用具のセツト販売を目的とする請求項１の花茶の喫茶と販売方法。
【発明の詳細な説明】
【０００１】
【発明の属する技術分野】
花茶の喫茶と生活環境の改善に関する。
【０００２】
【従来の技術】
科学技術の発展に伴い自然環境の破壊は今や地球的な大問題となり、各地の大気汚染や酸性雨による二次的な被害にも及び、二酸化炭素の増加に伴う地球的な温暖化も世界的な規模で進行中である。
このような状態が１００年も続けば確実に地球の破滅とも言われる現下で、ヒトの生活にも重大な影響を及ぼしている中で訳のわからない病気やストレスから発生するアトピーや皮膚病が蔓延する時代に突入しているにも拘かわらずこれという名案もベストも方法もなく、いずれも対象療法なものである。従って、量的な制限以外にないと言われる所以である。
【０００３】
【発明が解決しようとする課題】
以上の実情に鑑み、日本古来の「茶の湯」は茶道という茶法のもとに人心の「沈着と冷静」さを象徴する行為と言われているが、現下の社会にはそぐわない違和感がある。即ち、「わび、さび」を連想する茶道に対する抵抗感を改善して近代社会に合致した喫茶手法を創作して「もてなし茶法」から、「喫茶茶法」に改善し、緊張的な茶法から、緩和的な茶法に改善する。即ち、ストレスの解消と癒しの心を養うという時代に合致した「ゆとりと安らぎ」の喫茶で課題の解決を図るものである。
【０００４】
【課題を解決するための手段】
以上の課題と構想を解決するための手段として「もてなし茶法」から、新しい「喫茶作法」に改善して時代の要請に答える「癒しの茶法」で課題の解決手段とする。即ち、外来のコーヒーや紅茶などの創作に加えて「美しくて、鮮やかで、香りと、ムード作り」で癒しの心でストレスの解消を図り、以って明日えの活力とエネルギーに資するものである。
【０００５】
花  茶
本発明で言う花茶とは、ハープ、ジャスミン、キク、サクラ、八宝、水果花、ライチ、苦丁、天女散花、千日紅、白亳銀針、モミジ、イチョウ、笹、竹、漢方植物などに加えて従来茶に草花類を浸したものを言う。
【０００６】
色  素
色素とは、色ベニなどの着色する色素で無害物質がその条件である。
【０００７】
ストレス
ストレスとは、１９３６年カナダのハンス、セリエ氏によって生まれた言葉である。その定義は「自分のおかれた環境が、個人の能力で対処できない範囲」を越えているという認識をもった時だと言っている。即ち、その限界と、そのあきらめである。そのストレスの負荷が長く続くと「疲労、白髪、生理不順、インポテンツ、インスリンの分泌低下、シミの発生、アトピー性皮膚炎、リューマチ、動脈硬化、うつ状態、絶望感」などの病気を引き起こす原因となり、且つ又多種多様な病気の起因となる言われている。
【０００８】
適用形態
本発明は、外来のコーヒーや紅茶などと日本古来の「わび、さび」を連想する茶法との両面茶法を手本として創作改善した近代茶法である。即ち時代に即した社会に適応する新しい喫茶茶法である。然るに従来の流通機構は一変している。即ち、従来の対面販売から「インターネット、テレビ、カタログ、新聞、通販」などの間接的な大変化の時代である。
従って、本発明の近代茶法を世に普及させることが肝要であることから、喫茶に係る「容器、花茶、色素、茶具」などをセットで販売することが最も世に普及させる最大の手段である。
【０００９】
【発明の実施の形態】
従来の茶法は急須を各茶器（カップ）にそそぐ手法が一般的であった。然るに本喫茶手法は、急須に変わるポット（容器）は全て透明容器を用いてテーブル中央部に置き、数分間眺めて花の開花や復元状況を楽しみながら各カップに注いで和気藹々と語りながら生気を養うのが基本的な本喫茶のスタイルである。
即ち、ポット（茶器）は数人分（１人〜７人）とし「花を浮かせて着色をし、美しさとムードを高揚する」演出を経て、テーブル中央部に置き、楽しみながら「ストレスの解消と癒しの感覚で飲み」明日えの活力とエネルギーの蓄積を図り以って健康に貢献するものである。所望によりムード音楽が一層の癒しを促進する所以である。又「蜂蜜、レモン、ユズ、砂糖、香料」なども尚一層の嗜好を促進する。
而して、日本古来の伝統ある茶法は生活の一環であり風習である。このような風習のイメージのスタイルを改めることは至難の業である。従って、本発明に係る喫茶具は、全て「セット」で販売することが世に普及を促進するための最大要件である。即ち、旧来イメージを改めて新しいスタイルに改善する最高の手段であり、目的達成えのベスト方法である。
【００１０】
【実施例】
以下実施例による発明実施の態様を説明するが、例示は単なる説明用のもので発明思想の制限又は限定を意味するものではない。
【００１１】
（１）実施例
図１に示すライチ茶を女性３名に喫茶テストに協力をして貰っての感想を尋ねて見た。
（１）頭がスッキリした。
（２）肩が軽くなり、体もスカットした。
（３）気分が爽快になった。
【００１２】
（２）実施例
図２に示すジャスミン茶を女性４名に喫茶テストに協力を戴き、その感想を聞いて見た。
（１）ムードの感じが最高で体が軽くなった。
（２）気分爽快で活力モリモリになった。
（３）頭も体もスッキリした。
（４）活力を感じ元気が出た。
【００１３】
例  示
本発明に係る花茶による喫茶は特に女性に評判が良く、即、家族で花茶を始める人も出る始末であった。現下の不景気で社会が荒廃している中で花茶を嗜むことで悪質事件が１件でも減少するなら幸いであり、大きな期待が持てる発明であり、新しい「喫茶茶法」のグット、オープンである。
【００１４】
【発明の効果】
本発明は極めて単純な方法である。即ち、従来の茶法スタイルを新しいムードスタイルの喫茶方法である。
現下の総ストレス時代に「癒しのムード」の創出は、正に砂漠のオアシスである。ストレス語を開発したハンス、セリエ氏は病気の根源はストレスから始まると言っている。即ち、ストレスを解消する最大の方法は自己が有する「癒しの感覚」の修得である。
従って、日常の生活に業務に大いに役立つ本発明の花茶の喫茶である。従って、民生に社会に貢献できるものである。
【図面の簡単な説明】
【図１】本発明のライチ茶をセットしてテーブルに載置した状態を示す斜視図
【図２】本発明のジャスミン茶をセットした状態を示す斜視図
【符号の説明】
１  透明ポット（茶具）
２  透明カップ（茶具）
３  ライチ茶
４  ジャスミン茶
５  テーブル
【図１】
2004194629.tif 000003
【図２】
2004194629.tif 000004
(57)【要約】      （修正有）【課題】従来はポット田植機械専用苗運搬棚は無く、また重ねて運搬すると落下する事があった。したがって不便だった。それをポット田植機械専用苗を運ぶ落下防止の為の角度調節可能なポット田植機械専用苗運搬棚を作り便利にしようとした。【解決手段】内枠１に外枠２を取付け、Ｌ字枠３に格子枠４を掛け稲苗棚にポット用苗皿のポット苗を載せられる事を特徴とする。【選択図】図１
2004194630.tif 000002
【特許請求の範囲】
【請求項１】
角度調節可能なポット苗用運搬棚。
【発明の詳細な説明】
この発明は、ポット苗を数多く、傷めずに運ぶための棚に関するものである。
従来のポット苗の運搬には、作業機械が田にある場合、ポット苗をより多く運ぶ為に、運搬車両の荷台にポット苗箱ごと重ねたり、丸めたりして運搬しなければならなかった。
ポット苗箱ごと重ねたり丸めたりする事で、せっかく大事に育てたポット苗が痛んでしまう事もあり、無理に重ねると運搬中に荷台から落ちてしまった。また、そのようにしても、運べる数量は僅かであった。
本発明は、その欠点を取り除く為になされた物で、それを図面にて説明すれば内枠（１）に外枠（２）を取付け、内枠（１）のＬ字枠（３）の部分に格子枠（４）を掛ける。格子枠（４）の稲苗棚（５）の角度はＬ字枠（３）の角度を変える事で自由に行える。また、全ての部品が脱着可能で、収納場所にも困らない。
本発明は、このような構造であるから、運搬車両に棚（１２３４５）を据付後、図５のようにポット用苗皿（７）及びポット苗（６）を稲苗棚（５）に載せると、ポット苗（６）が痛む事も無く運搬数量も容易く増やす事が出来る。
尚、格子枠（４）の格子の数に決まりは無い。
【図面の簡単な説明】
【図１】本発明の斜視図である。
【図２】本発明の正面図である。
【図３】本発明の側面図である。
【図４】本発明の部分図である。
【図５】本発明の使用図である。
【符号の説明】
（１）は内枠（２）は外枠（３）はＬ字枠（４）は格子枠
（５）は稲苗棚（６）ポット苗（７）ポット用苗皿
【図１】
2004194630.tif 000003
【図２】
2004194630.tif 000004
【図３】
2004194630.tif 000005
【図４】
2004194630.tif 000006
【図５】
2004194630.tif 000007
(57)【要約】【課題】背負う用具において、肩掛帯を胸の前部で分割、脱着できる構造の肩掛帯を提供する。【解決手段】肩掛帯の胸の前で分割し、脱着用フックを縫着したものである。又、フック部の位置は、300±200mmの範囲で胸の前に位置する様に設置されており、簡単に脱着できる肩掛帯を有するものである。【選択図】      図１
2004194692.tif 000002
【特許請求の範囲】
【請求項１】
背負う用具に具備される肩掛帯を胸の前部において、上下に分割脱着できる肩掛帯
【請求項２】
肩掛帯を脱着するためのフックの位置は肩掛帯上部取付部から300±200mmの範囲に設けられた肩掛帯
【発明の詳細な説明】
【０００１】
【発明の属する技術分野】
本発明はリュックサック、ランドセル等の背負う用具の肩掛帯に関するものであり、特に肩掛帯を胸の前で脱着できる構造を有する肩掛帯に関するものである。
【０００２】
【従来の技術】
従来から肩掛帯の長さを調節する構造のものは一般によく知られている。これは、背負ったり、降ろしたりするとき、腕に引っかかったり衣服に引っかかったりしていた。特に重いときには、衣服を巻き込んだりして違和感があった。それをなくし、しっくり背負うために何度も調整するが、自分ではなかなかうまくできず人手を借りる必要があった。
【０００３】
【発明が解決しようとする課題】
本発明は、肩掛帯を胸前部で脱着できる様にすることで、従来の煩わしさを解決するものである。又、脱着をするためのフックの位置は、請求項２で示した位置、即ち胸の前で脱着できる位置が最適である。
【０００４】
背負うときは左右どちらかのフック４，５をはずし、はずした方の上部肩掛帯の端を持ち、子供を背負い紐で背負う様に背負い、背負ってから、はずしたフックを胸の前で嵌着することで簡単に背負うことができる。
【０００５】
降ろすときはこの手順を逆に行うことにより、重いものでも容易に背負ったり、降ろしたりすることができる。
【０００６】
【課題を解決するための手段】
上記課題を解決するために、請求項１の発明に関する肩掛帯の形成方法は、両肩掛帯を胸の前で上下肩掛帯２，７に分割し、その先端にフックを縫着する。又、肩掛帯が身体に接する部分にはクッション帯３，６を縫着する。
【０００７】
上下に分割する位置は脱着の操作性を良くするため請求項２で示した様に、上部掛帯は本体取付位置８より300±200mm範囲の最適位置に設定するものである。
【０００８】
【発明の実施の形態】
本発明の一つの実施形態を図面に基づいて説明する。図１は正面図、図２はフック部の拡大図である。
【０００９】
リュックサック本体１の上部８に縫着された肩掛帯２と下部９に縫着された肩掛帯７とに分割された特徴を有する肩掛帯である。上部肩掛帯２が身体に接する部分にはクッション帯３が縫着10されている。
【００１０】
又、下部肩掛帯５にも短めのクッション帯６が下部フック５に縫着11されている。下部肩掛帯７は下部クッション帯６の下端部に穿設された孔12を通り、下部フックの長さ調節部に装着されている。クッション帯６の端面は下部フック５のロック爪の付根部と合わせた位置に縫着11する。
【００１１】
上部クッション帯３の端面に上部フック４の端面を合わせて縫着10することにより、上下の肩掛帯２，７を上下フック４，５で嵌合したとき上下クッション帯３，６の間に隙間なく嵌合できクッションの効果が発揮できる。上部肩掛帯２は、本体１に縫着された位置８より300±200mm範囲内の最適位置にフック部４を設ける。
【００１２】
【発明の効果】
本発明によれば、従来リュックサック、ランドセル等を背負ったり、降ろしたりする際に衣服に引っかかり巻き込んだりして身体に違和感を感じ何度も背負い直したりしていた。特に重い物を背負ったときには簡単に違和感を取り除くことが出来なかった。
【００１３】
又、降ろすとき軽装で袖のない衣服のときは腕にすり傷を負ったりすることもあり、人手を借りなければならなかった。このような問題を簡単に解決するものである。
【図面の簡単な説明】
【図１】正面図
【図２】図１のＰ部分拡大図
【符号の説明】
１      リュックサック本体
２      上部肩掛帯
３      上部肩掛クッション帯
４      上部フック
５      下部フック
６      下部肩掛クッション帯
７      下部肩掛帯
８      上部肩掛帯取付部
９      下部肩掛帯取付部
【図１】
2004194692.tif 000003
【図２】
2004194692.tif 000004
(57)【要約】【課題】金属管の先端部に雑草類掘り取り用の刃を形成した草取り具について、雑草類の根元部の土が堅い場合でも、刃の土に対する突き刺しを容易に行うことができるようにする。【解決手段】円形断面の金属管１１の先端部を切り欠いて、先端を二又状に切り欠いた丸形の刃先１３を有する丸形ショベル状の刃１２を形成するとともに、金属管１１の刃１２隣接部と後端部に密閉蓋１４、１５を固定し、この密閉蓋１４、１５により密閉された金属管１１の実質部内に、その内径より小径でかつその長さよりやや短い円形断面の中実ロッドからなる打撃片１６を挿入する。【選択図】        図１
2004194603.tif 000002
【特許請求の範囲】
【請求項１】
金属管の先端部に刃を形成した草取り具であって、金属管の先端部の刃隣接部と後端部を密閉蓋を介して密閉するとともに、密閉した金属管内に打撃片を軸方向に移動自在に挿着してなる草取り具。
【発明の詳細な説明】
【０００１】
【発明の属する技術分野】
この発明は、雑草類を取るために用いる草取り具に関するものである。
【０００２】
【従来の技術】
草取り具には色々な構造のものが提案されているが、コンパクトなものの代表例として、金属管の先端部に雑草類掘り取り用の刃を形成したものが知られている（例えば、特許文献１参照）。
【０００３】
【特許文献１】
特開平１１−２８９８０１号公報
【０００４】
【発明が解決しようとする課題】
このいわゆる金属管製の草取り具は、先端部の刃を雑草類の根元部の土に突き刺して、雑草類を根から掘り取るが、雑草類の根元部の土が堅い場合には、刃の土に対する突き刺し操作を数回行わなければ、雑草類を掘り取ることができない。
【０００５】
この発明は、公知の金属管製の草取り具に認められる上記のような操作の煩雑さに鑑み、金属管製の草取り具について、土が堅い場合でも、刃の土に対する突き刺しを容易に行うことができるようにすることを課題としている。
【０００６】
【課題を解決するための手段】
この発明によれば、上記の課題は、金属管の先端部に刃を形成した草取り具において、金属管の先端部の刃隣接部と後端部を密閉蓋を介して密閉するとともに、密閉した金属管内に打撃（叩打）片を軸方向に移動自在に挿着することによって解決する。
【０００７】
この発明の草取り具は、金属管の中間部を把持し、斜め上方から振り下ろして、先端部の刃を土に突き刺すという方式で使用するもので、この際打撃片が金属管内の刃隣接部の密閉蓋を叩打するので、刃の土への突き刺しが助長される。従って土が堅い場合でも、刃はその１〜２回の突き刺し操作で相当量土中に侵入し、雑草類を掘り取り可能な状態にする。
【０００８】
この発明の草取り具における刃としては、ショベル（スコップ）状類（移植ごて状を含む）などを用いることができ、また打撃片としては、金属管より小径でかつ金属管の密閉した実質部より短い中実の金属ロッド片（金属バー片）類を用いることができる。
【０００９】
【発明の実施の形態】
図面に基づいてこの発明に係る草取り具の一実施形態を説明すると、図示した草取り具は、円形断面の金属管１１の先端部を切り欠いて、先端を二又状に切り欠いた丸形（ハート形）の刃先（切断エッジ）１３を有する丸形ショベル状の刃１２を形成するとともに、金属管１１の刃１２隣接部と後端部に密閉蓋１４、１５を固定し、この密閉蓋１４、１５により密閉した金属管１１の実質部内に、その内径より小径でかつその長さよりやや短長な円形断面の中実ロッドからなる打撃片１６を挿入した形態からなっている。
【００１０】
この草取り具により草取りを行う際には、金属管１１の中間部を柄部として把持して、斜め上方から振り下ろして、刃１２の刃先１３部を雑草類の根元部の土中に突き刺す。この際打撃片１６が刃隣１２接部の密閉蓋１４を叩打して、先端部の刃１２の土中への突き刺し量を増大する状態になるので、土が堅い場合でも刃１２は容易に土に侵入して、雑草類を掘り取り可能な形にする。
【００１１】
この発明の草取り具は、このほか種々の形態で実施することができるもので、上記の形態に限定されるものではない。
【００１２】
【発明の効果】
以上説明したように、この発明に係る金属管製の草取り具によれば、打撃片による叩打作用によって、土が堅い場合でも、刃の土中への突き刺しを容易に行うことができるという実用上有用な効果が奏される。
【図面の簡単な説明】
【図１】この発明に係る草取り具の一実施形態の一部を切り欠いた側面図である。
【図２】図１に示す実施形態の一部を切り欠いた平面図である。
【符号の説明】
１１  金属管
１２  刃
１３  刃先
１４  密閉蓋
１５  密閉蓋
１６  打撃片
【図１】
2004194603.tif 000003
【図２】
2004194603.tif 000004
(57)【要約】【課題】本発明は重労働の人手の除草者の長年の要望を満たすものである【解決手段】草刈機のエンジンを使用して（図１）の除草部の除草刃を回転させて除草刃の除草深さ調節土橇並びに除草刃カバーに依って円滑に除草を行うことができるものである【選択図】図１
2004194638.tif 000002
【特許請求の範囲】
【請求項１】
草刈機の刃を外してそのあとに
【図１】の除草機の除草部の除草刃を回転させて除草を行うもの
【請求項２】
除草刃のカバー並びに除草刃の除草の深さ調節土橇及び除草刃の除草の深さ調節土橇の調節ネジ
【発明の詳細な説明】
【０００１】
【発明の属する技術分野】
本発明は草刈機のエンジンを利用して８除草刃を回転させて人手の１０倍以上の能率を上げ除草者を重労働から開放するものである。
【０００２】
【従来の技術】
従来は鎌、草かき、草かき鍬等で除草し重労働に耐えられない人は薬害を無視して除草剤を散布し犬の繋ぎ場に散布し、犬が死亡した実例もある状況である
【０００３】
【発明が解決しようとする課題】
本発明は宅地、庭、ビニールハウスの周囲、畑等人手の重労働の除草並びに除草剤の散布による薬害を解決しようとするものである
【０００４】
【課題を解決するための手段】
草刈機の刃を外し
【図２】の除草刃を取り付け更に安全かつ植物を傷つけないよう２除草刃カバーを付け更に除草の深さを調節する８除草刃の除草深さ調節土橇を付け５除草刃の除草深さ調節土橇調節ネジに依って調節して除草刃の除草深さ調節土橇に
【図１】除草機の除草部を託すので作業が楽に行うことが出来る
【０００５】
【発明の実施の形態】
以上本発明の実施の形態について説明する草刈機のエンジンを使用して除草刃を回転させて除草刃の深さ調節土橇に依って円滑に除草を行うことが出来るものである
【０００６】
【発明の効果】
自家用の草刈機を利用できるので経済的で人手除草の１０倍以上の能率を上げることができるので除草剤を使用する必要がなく薬害を防止でき除草者を重労働から開放することができる
【図面の簡単な説明】
【図１】除草機の除草部
【図２】除草刃
【図３】除草部の右側面
【図４】除草部の左側面
１エンジンシャフト管兼操作管
２除草刃のカバー
３除草刃の除草深さ調節土橇
４除草刃のカバーとめボルト
５除草刃の除草深さ調節土橇の調節ネジ
６除草刃のカバー蓋
７除草刃のシャフト
８除草刃
９除草刃のシャフト止め穴
１０シャフト止め口
【図１】
2004194638.tif 000003
【図２】
2004194638.tif 000004
【図３】
2004194638.tif 000005
【図４】
2004194638.tif 000006
(57)【要約】      （修正有）【課題】ほとんど未利用であった低タンパク質日本国内産小麦粉を使用したパンを、簡便に広く供給すること。【解決手段】国内産小麦粉原料元種は製パン改良活性を有している。よって、国内産小麦粉原料元種を使用し、且つ製パン工程を、作業性とイースト発酵・熟成のバランスを考慮して改良することで、独特の風味と食感と香りと日持ちの良さ等の性質を持った低タンパク質国内産小麦粉原料使用のパンを製造することができる。【選択図】なし【特許請求の範囲】
【請求項１】
１  新菌種であるラクトバチルス・パネックス（Ｌａｃｔｏｂａｔｉｌｌｕｓｐａｎｅｘ）、公知の微生物サツカロミセス・イグジグース（Ｓａｃｃｈａｒｏｍｙｃｅｓ  ｅｘｉｇｕｕｓ）を国内産小麦粉を主成分とする培地に培養して元種とし、当該元種を使用して国内産小麦粉を原料としたパン生地を製造し、これを用いて製パンすることを特徴とする食品添加物無添加の国内産小麦粉使用パンの製造方法
【発明の詳細な説明】
【０００１】産業上の利用分野
本発明は、日本国内産小麦から製造した低タンパク質である国内産小麦粉を原料としたパンの製造方法に関し、とくに新発明のラクトバチルス・パネックス（Ｌａｃｔｏｂａｔｉｌｌｕｓ  ｐａｎｅｘ、工業技術院生命工学技術研究所寄託番号  ＦＥＲＭ  Ｐ−１６８９６）を用いる元種を使用することにより、国内産小麦粉独特の風味と食感、香味さらにはその日持ちの良さと美味しさを兼ねそなえた国内産小麦粉原料パンが、一般的な汎用製パン製菓設備でも製造できるようになった。
【０００２】従来の技術
日本国内産小麦にはタンパク質含量が低い種類が多く、外国産小麦粉に比べて製パン適性が劣ることが知られている。
つまり、国内産小麦を使用すると、グルテンや乳化剤等の添加物を添加しても、製パン時の機械耐性が悪く、生地のベタツキ性、生地の伸展性、生地の吸水、生地のガス保持力、製品の日持ち、製品の風味等が外国産小麦粉に比べて劣り、タンパク質含量が低い種類の日本国内産小麦粉は、タンパク質含量が高い外国産小麦粉に比べて、製パンにはほとんど未利用であった。
【０００３】発明が解決しようとする問題点
従来ほとんど未利用であった低タンパク質日本国内産小麦粉を原料として使用した製パンを、簡便に可能にすることにある。
【０００４】問題を解決するための手段
本発明は、新菌種であるラクトバチルス・パネックス（Ｌａｃｔｏｂａｔｉｌｌｕｓ  ｐａｎｅｘ）と公知のサツカロミセス・イグジグース（Ｓ．ｅｘｉｇｕｕｓ）を国内産小麦粉を主成分とする培地に培養して元種とし、製パン時の作業性良くする為に、第１次発酵生地として水と製パン用イーストを減じたパン生地を作り、熟成発酵後、残りの水と製パン用イースト添加しミキシングを行い、第２次発酵生地として発酵熟成後、ほぼ通常と同じ工程で製パンする。
【０００５】作用
元種中に共生しているラクトバチルス・パネックスと、公知ではあるが特殊な風味を出すと考えられる酵母であるサツカロミセス・イグジグースが、国内産小麦粉原料元種中で、製パン改良活性を作り出し、製パン工程を作業性とイースト発酵・熟成のバランスを考慮して改良することで、独特の風味と食感と香りと日持ちの良さ等の性質を持った低タンパク質国内産小麦粉原料使用のパンを製造することができるものである。
【０００６】実施例
（１）元種の製造
元種培地は下記の組成とする
小麦粉（農林６１号）      １００重量部
水                    ４０〜４２重量部
国内産小麦粉のタンパク質は８〜９％程度で良い。
（ａ）菌体サツカロミセス・イグジグースは、下記組成のＹＭ培地で２日間培養したものを使用する。
2004194637.tif 000002
（ｂ）菌体ラクトバチルス・パネックスは、下記組成の改良ＳＤ培地で２日間培養する。
2004194637.tif 000003
上記のラクトバチルス・パネックス菌体を２×１０８個／ｇ、サツカロミセス・イグジグース菌体を２×１０７個を与える量で、上記元種培地に接種する。この混合物を２０〜２５℃に２０〜２４時間保持して培養し、そのｐＨが３．８〜３．９になった時点で、上記元種培地に当該培養物５０重量部を接種して約５〜１５分間混捏する。捏上温度２３〜２５℃に調節し２０〜２４時間、１６〜１８℃の醗酵室に保ち、最終のｐＨを３．９〜４．０とする。
この継種操作を５〜１０回繰り返した後、この混合物をスターター元種とし、さらに毎日１回程度元種の継種操作を行なう。
（２）食パン製造
（第１次発酵生地工程）
スターター元種                  ５．０重量部
小麦粉（農林６１号）        １００．０重量部
市販パン酵母                    ０．５重量部
砂糖                            ７．５重量部
精製塩                          １．９重量部
脱脂粉乳                        ５．０重量部
ショートニング                  ８．０重量部
水                            ５５．０重量部
上記の組成で１３〜１４分間程度混捏する。
捏上温度２７℃に調節し、３〜４時間醗酵させる。
（第２次発酵生地工程）
第１次発酵生地工程の生地            全重量部
市販パン酵母                    ２．０重量部
水                            １０．０重量部
上記の組成で７〜８分間程度混捏し、捏上温度２６〜２８℃に調節し、最終生地を得る。６０分程度のフロアタイムの後、生地を所定の重量で分割し成形し型入れする。
型入れされた生地は３４℃程度の醗酵室で約１時間醗酵させ、これを最終醗酵とする。この生地を２５０℃程度で３０〜３８分焼成して、国内産小麦粉原料使用食パンを得る。
【０００７】発明の効果
このようにして製造された、国内産小麦粉を原料として使用したパンは、優れた香味、食感を有し、製品の老化が遅くなった。
よって、グルテン増強剤や乳化剤、酸化剤、その他イーストフード等添加物を必要としない国内産小麦粉原料使用パンを、従前の設備で安定的に簡便に製造できるようになった。
農林６１号等の国内産小麦粉の製パン利用が広がり、国内産小麦の生産と小麦粉の国内自給率が向上する。
(57)【要約】【課  題】犬との散歩中に多くの犬は糞を路上にして、飼主のマナーが今大きな問題となっている。坐った姿勢で、排泄糞を取ることは簡単なようでつい怠る人がいる。このようなことから、立姿勢にて片手で排泄糞を簡単に回収できる糞回収機を提供する。【解決手段】立姿勢のまま、操作棒Ｂのレバーを握ることで、引き込み板Ｄにより糞が受け口Ｃに運ばれて、更に市販の袋に簡単に収めることが出来る。【選択図】      図３
2004194632.tif 000002
【特許請求の範囲】
【請求項１】
犬の散歩中に同行者が立った姿勢のまま、排泄糞を回収する事ができる糞取り機
【発明の詳細な説明】
【０００１】
【発明に属する技術分野】
本発明は、犬の散歩中に同行者が立った姿勢のまま、犬の排泄糞を速やかに回収するためのものである。
【０００２】
【従来の技術】
従来は、同行者が、シャベル等にて低姿勢で、古典的な回収品しかなかった。
【０００３】
【発明が解決しようとする課題】
犬の散歩中に犬の排泄糞を回収しようとする時は、同行者が低姿勢で両手にて、その回収をしなければならない難点があった。
【０００４】
【課題を解決するための手段】
本発明は、立った姿勢のまましかも片手にて、この課題を解決するためになされたものである。
【０００５】
【発明実施の形態】
以下、本発明の実施について説明する。
（イ）  指示棒Ａは、操作棒Ｂと受け口Ｃ、引き込み板Ｄを連結。
（ロ）  操作棒Ｂは、引き込み板Ｄ動かすハンドル。
（ハ）  受け口Ｃは、引き込み板により運ばれた糞を受け入れる。
（ニ）  引き込み板Ｄは、糞を受け口Ｃに運ぶ。
（ホ）  袋止めバンドＥは、回収袋Ｆを受け口Ｃに装着し固定するバンド。
（ヘ）  回収袋Ｆは、（市販の紙袋・ビニール双方可能）
（ト）  バネＧは、Ｄの引き込み板の開閉用
（チ）  ストッパーＨは、Ｄの引き込み板の閉鎖固定時使用。
【０００６】
【発明の効果】
散歩中に速やかに道路上の排泄糞を回収することができる。
【図面の簡単な説明】
【図１】本発明の正面図である。
【図２】本発明の側面図である。
【図３】[図２]側面図の詳細図である。
【符号の説明】
Ａ  指示棒
Ｂ  操作棒
Ｃ  受け口
Ｄ  引き込み板
Ｅ  袋止めバンド
Ｆ  回収袋
Ｇ  バネ
Ｈ  ストッパー
【図１】
2004194632.tif 000003
【図２】
2004194632.tif 000004
【図３】
2004194632.tif 000005
(57)【要約】【課題】水耕栽培で使用されるカラフルな人工栽培用土の色彩を鮮やかに見せる照明付植木鉢及び鉢受け皿を提供する。【解決手段】容器を構成する底部に高輝度発光ダイオード１を適宜数備え、高輝度発光ダイオード１と電気的に接続された電源供給用接続端子２を容器側面に設けて、外部電源より給電する構成である。【選択図】    図４
2004194631.tif 000002
【特許請求の範囲】
【請求項１】
容器を構成する底部に高輝度発光ダイオードを備え、該容器側面に設けられた電源供給用接続端子と、前記高輝度発光ダイオードを電気的に接続したことを特徴とする照明付植木鉢及び鉢受け皿。
【発明の詳細な説明】
【０００１】
【発明の属する技術分野】
本発明は、水耕栽培用の植木鉢と鉢受け皿に関する。
【０００２】
【従来の技術】
従来、ガラス製やプラスチック製の透明な植木鉢に、カラフルな人工砂や栽培用カラーポリマーを入れて植物を植る一種の水耕栽培で、植物とともに、透けて見える植木鉢内部の色彩を楽しむ方法があった。特に、日差しが植木鉢の内部を通すと一段と鮮やかな色彩を楽しむことができるが、光量の少ない雨や、曇りの天候時、及び、夜間ではその鮮やかな色彩を楽しむことができなかった。
【０００３】
【発明が解決しようとする課題】
そこで、本発明は雨や曇りの天候時、或いは、日差しのない部屋、及び、夜間でも植木鉢内部の鮮やかな色彩を楽しむことができる機能を付加した植木鉢、及び、鉢受け皿を提供することを目的とする。
【０００４】
【課題を解決するための手段】
上記の課題を解決するために、植木鉢、及び、鉢受け皿の底部に照明手段を備え、電源供給用接続端子を前記植木鉢、及び、鉢受け皿の側面下方に設け、外部より給電することで、植木鉢の内部を明るく照射する手段を講じたものである。
【０００５】
【発明の実施の形態】
以下、図１〜図４を参照して本発明の一実施形態を詳細に説明する。
図１に示すように、照明付植木鉢３を構成する二重構造の底部の間隙４内に、高輝度発光ダイオード１を適宜数備えて、高輝度発光ダイオード１と電気的に接続された電源供給用接続端子２を照明付植木鉢３側面の下方に設けられた凹部５内に突出させた構成である。
又、図２に示すように、植木鉢の底部上に設けられた透明な防水用キャップ６内に、適宜数の高輝度発光ダイオード１を納装する構造でも、照明付植木鉢は実施可能である。
【０００６】
図３は、照明付鉢受け皿７の斜視図であり、透明な防水用キャップ６内に適宜数の高輝度発光ダイオード１を納装し、照明付鉢受け皿７側面の凹部５内に電源供給用接続端子２を設けた構造であり、図２に示した構造と同じである。更に、照明付鉢受け皿７の底部上面を鏡面に形成することで照射する光量を増すことができる。又、鉢受け皿の底部を二重構造に形成し、その間隙４に高輝度発光ダイオード１を納装する図１に示した同じ構造でも、照明付鉢受け皿は実施可能である。
【０００７】
図４は、本発明の使用態様を示した図であり、この図では、電源スイッチ８を中間スイッチにしてあるが、照明付植木鉢、及び、照明付鉢受け皿自体に電源スイッチを設けることも可能である。又、給電は、ＡＣアダプター９を介してされるが、ＡＣ１００Ｖを直接給電できる高輝度発光ダイオードを取り付ければ、ＡＣアダプター９は不要となる。
以上の如く構成された、照明付植木鉢、及び、照明付鉢受け皿のどちらか一方を使用することで、植木鉢の内部を明るく照射でき、前述の課題を達成することが可能となる。
【０００８】
【発明の効果】
以上に述べたように、本発明は前述の簡単な構造により、天候や昼夜にかかわらず、植木鉢内部のカラフルな人工栽培用土の鮮やかな色彩を見ることができ、更に、光源である高輝度発光ダイオードからの多少の放熱による保温効果によって、熱帯系植物の越冬の補助として使用できると云う効果もある。
【図面の簡単な説明】
【図１】本発明の照明付植木鉢の一実施形態を示す一部破断した全体斜視図である。
【図２】本発明の照明付植木鉢の別の一実施形態を示す一部破断した全体斜視図である。
【図３】本発明の照明付鉢受け皿の一実施形態を示す全体斜視図である。
【図４】本発明の照明付植木鉢及び照明付鉢受け皿の使用態様を示す説明図である。
【符号の説明】
１  …………  高輝度発光ダイオード
２  …………  電源供給用接続端子
３  …………  照明付植木鉢
４  …………  間隙
５  …………  凹部
６  …………  防水用透明キャップ
７  …………  照明付鉢受け皿
８  …………  電源スイッチ
９  …………  ＡＣアダプター
１０  …………  電源プラグ
１１  …………  電源コード
【図１】
2004194631.tif 000003
【図２】
2004194631.tif 000004
【図３】
2004194631.tif 000005
【図４】
2004194631.tif 000006
(57)【要約】【課題】肝臓機能を強化する栄養素な大麦若葉粉末エキスと肝臓の解毒作用を補助するしじみエキスの相乗効果により、肝臓の機能をアップさせ、相乗効果として体を健康に維持する健康食品。【解決手段】新陳代謝の過程で発生する活性酸素の毒性を瞬時に分解するＳＯＤ酵素・ビタミンC・ビタミンE・カタラーゼ等を含有する大麦若葉粉末エキスと肝臓機能の強化、解毒作用、胆汁酸の分泌促進作用の有るタウリン・ビタミンＢ１２・メチオニン等含有するしじみエキスを添加し健康維持を目的とする健康食品。【特許請求の範囲】
【請求項１】
新陳代謝の過程で発生する活性酸素の毒性を瞬時に分解するＳＯＤ酵素・ビタミンC・ビタミンE・カタラーゼ等を含有する大麦若葉粉末エキスと肝臓機能の強化、  解毒作用、胆汁酸の分泌促進作用の有るタウリン・ビタミンＢ１２・メチオニン等を含有するしじみエキスなどを添加し健康維持を目的とする健康食品。
【発明の詳細な説明】
【０００１】
【発明が属する技術分野】
本発明は大麦若葉粉末エキスとしじみエキスを含有し体を健康に維持する健康食品。
【０００２】
【従来の技術】
従来から活性酸素除去作用の有る大麦若葉粉末エキスを含有する健康食品やしじみエキスに含まれるタウリンでの肝臓強化の為の健康食品が有る。
【０００３】
【発明が解決しようとする課題】
体の毒素を分解する為弱った肝臓に栄養を与える大麦若葉の粉末エキスと、解毒作用のあるタウリン・ビタミンＢ１２・メチオニン等の力で肝臓の解毒作用を補助し、体を健康に維持する健康食品。
【０００４】
【課題を解決するための手段】
本発明は、栄養豊の大麦若葉粉末エキスにしじみエキスを添加し、相乗効果により肝臓機能の強化をはかり体を健康に維持する健康食品。
【０００５】
【発明の実施の形態】
大麦若葉粉末エキスは健康維持に優れているし、肝臓に良いしじみエキスを添加した健康食品で、大麦若葉粉末エキスに含まれるＳＯＤ酵素・カタラーゼ等やしじみエキスに含まれるタウリン・ビタミンＢ１２・メチオニンなどが最近医学的にも肝臓機能維持に良いことが証明されている。
【０００６】
【発明の効果】
大麦若葉粉末エキスに含まれるＳＯＤ・カタラーゼ等やしじみエキスに含まれるタウリン・ビタミンＢ１２・メチオニン等が、弱った肝臓に栄養を与え、解毒作用を促進し、肝臓機能が強化され健康維持に役立。
(57)【要約】【課題】本発明は、大量に排出される血液の飼料化を可能にするものである。【解決手段】本発明は、血液に凝固防止剤を加えたのち、吸水力の強い乾燥おからを混ぜ、生おからに近い物性に調節したあと、短時間で乾燥することを特徴とする。【特許請求の範囲】
【請求項１】
乾燥おからを加えることを特徴とする血液の乾燥法
【請求項２】
血液が家畜の血液である請求項１の血液の乾燥法。
【請求項３】
家畜が家禽を含む広義の家畜である請求項１の血液の乾燥法。
【発明の詳細な説明】
【０００１】
【発明の属する技術分野】本発明は乾燥おからを加えることにより血液の乾燥を容易にするものである。
【０００２】
【従来の技術】屠殺場で処理する動物からの放血量は莫大で、資源的に無視できない。１頭あたり豚では約２．３リットル、牛では１０リットルにもなる。血液にはタンパク質が１８ないし２０％も含まれ、栄養価も高く、欧米では大豆や小麦などの植物タンパク質に代わるものとして食料化が図られている例もある。
【０００３】しかし従来からの放血法による収集では、血液は汚染されやすく、腐敗しやすかったため、加熱凝固後圧搾したのち乾燥し、血粉の形で、主に有機質肥料として用いられてきた。
【０００４】血液を加熱すると、アミノ・カルボニル反応にもとづく褐変が起こりやすく、褐変が進むと、タンパク質の利用率が低下する。したがって血液の飼料化を目指すならば、乾燥に必要以上の熱をかけない方法を選択する必要がある。
【０００５】血液の乾燥には、噴霧乾燥、凍結乾燥、膜ろ過などの方法も用いることができる。しかし大量の血液を短時間で、しかも低コストで処理するという目的には合致しない。
【０００６】一方採血の方法については、管のついたナイフを血管に刺し込み、減圧下で血液を集めるなど、衛生的な面で大きな改善が進んでいる。
【０００７】
【発明が解決しようとする課題】本発明は血液を短時間で粉末化し、飼料化を可能にする方法に関するものである。
【０００８】
【課題を解決するための手段】凝固防止剤を加えて凝固を防いだ血液に、吸水力の強い乾燥おからを加え、生おからに近い物性に調整する。次いで乾燥機にかけて短時間で乾燥し、タンパク質の利用率を保持する。
【０００９】血液に乾燥おからを加えたときに求めれられる生おからに近い物性とは、熱風を吹き付けたときに容易に粉砕される程度の物性をいう。
【００１０】乾燥おからを加えた血液のタンパク質利用率を保持するために、数秒間で血液を処理できる乾燥機を用いる。
【００１１】
【発明の実施の形態】凝固防止剤を加えた血液に、吸水性の強い乾燥おからを加え、生おからに近い物性に調整したのち乾燥する。
【００１２】凝固防止剤としては、食品添加物として認められている、クエン酸三カリウム、クエン酸三ナトリウム（別名、クエン酸ナトリウム）、硫酸マグネシウムなど、血液の凝固因子であるカルシウム・イオンに対してキレート作用を有するものを用いる。
【００１３】凝固剤の使用量は、クエン酸三ナトリウムとして０．３ないし２．０％である。
【００１４】使用する乾燥おからは吸水性の高いもの、好ましくは３００％以上のものが求められる。このような吸水性の高い乾燥おからは、（株）マルミのＭＴ３００型食材乾燥機「転生」を用いることにより製造できる。ただし吸水性の高い乾燥おからを得る手段は、同機の使用に限られるものではない。
【００１５】乾燥はタンパク質の利用率の低下を防ぐため、短時間で行うことが求められ、それが可能な乾燥機としては、投入から乾燥終了まで５秒という（株）マルミのＭＴ３００型食材乾燥機「転生」がある。ただし乾燥の方法は、同機の使用に限られるものではない。
【００１６】
【実施例】以下、本発明の実施例について述べる。
【００１７】
〔実施例１〕新鮮な豚の血液２０ｋｇに３．４％クエン酸三ナトリウム液を２ｋｇ混合した。これに（株）マルミのＭＴ３００型食材乾燥機「転生」で作った吸水性の強い乾燥おからを４ｋｇ投入し、撹拌した。最後に「転生」を用い、乾燥おから入り豚血液に３３０℃の熱風を毎秒２５ｍの速度で吹き付け、分級チャンバーにおいて品温９３℃で乾燥することにより、茶褐色のさらさらした高タンパクの粉末８ｋｇを得ることができた。
【００１８】
〔実施例２〕新鮮な豚の血液２０ｋｇに３．４％クエン酸三ナトリウム液を２ｋｇ混合した。これに（株）マルミのＭＴ３００型食材乾燥機「転生」で作った吸水性の強い乾燥おからを４ｋｇ投入し、撹拌した。最後に「転生」を用い、乾燥おから入り豚血液に３３０℃の熱風を毎秒３０ｍの速度で吹き付け、分級チャンバーにおいて品温９０℃で乾燥することにより、茶褐色のさらさらした高タンパクの粉末８ｋｇを得ることができた。
【００１９】
【発明の効果１】血液の迅速な乾燥が可能になる。
【発明の効果２】迅速な乾燥を行う結果、従来法に比べて燃料費の大幅な削減が可能になる。
【発明の効果３】タンパク質の栄養効率を損なうことなく処理できる。
【発明の効果４】高タンパク質の飼料の製造が容易になる。
【発明の効果５】処理品はさらさらしていて取扱いやすい。
(57)【要約】【課題】納豆製造時にひじきを添加し発酵させることで、ひじきを手軽に摂取出来るようにしたひじき添加納豆の提供。【解決手段】浸漬後水洗いしたひじきと、浸漬大豆とを混合し、蒸煮、発酵させたことを特徴とする。【特許請求の範囲】
【請求項１】
納豆製造時にひじきを添加し発酵させることで、ひじきを手軽に摂取出来るようにした納豆。
【発明の詳細な説明】
【０００１】
【発明の属する技術分野】
この発明は、納豆製造時にひじきを添加し発酵させた、ひじき添加納豆に関するものである。
【０００２】
【従来の技術】
従来の納豆は、大豆を浸漬、蒸煮したものに納豆菌を散布し発酵させたものである。そのため、大豆と水と納豆菌だけから構成されていた。また、従来のひじきは、主に煮物に使われており、料理のバリエーションの少ない食品の一つであった。
【０００３】
【発明が解決しようとする課題】
これは次のような欠点があった。
ひじきは鉄分、カルシウム、食物繊維が多く、最近話題のアルギン酸やフコイダンなども含まれており、栄養価の高い食品として近年特に注目を集めている。しかし一方で、料理の際には水に戻してから使うなど、調理に手間がかかることや、煮物としての利用方法しか知らない主婦が多く、調理のバリエーションが少ないことから、栄養がある食品なので積極的に食卓に取り上げたいとは思いつつ二の足を踏んでしまうという主婦も多いという調査結果が出ている。つまり、ひじきには、調理に手間がかかり、煮物以外のメニューが知られていないという欠点があるといえる。
本発明は、以上のような欠点をなくすためになされたものである。
【０００４】
【課題を解決するための手段】
浸漬の終わった大豆を蒸煮釜に移す際に同時に、水に戻したひじきを添加・混合し、大豆とひじきを一緒に蒸煮する。蒸煮後は通常の納豆と同じように、納豆菌を散布し容器に盛り込み発酵させる。
本発明は、以上の製造方法によって製造され、納豆と一緒に手軽にひじきを摂取できることを狙った、ひじき添加納豆である。
【０００５】
【発明の実施の形態】
以下、本発明の実施の形態について説明する。
大豆１俵に対し、乾燥ひじきを約２キログラム程度使用する。
ひじき１キログラムを１２リットルの水で１５分間浸漬する。ひじきは膨張して膨らみ、浸漬水はひじきの色が脱色して黒褐色になる。浸漬の終わったひじきはザルにあけ、その上からホースで水をかけてすすぎ、黒褐色に染まった浸漬水を洗い流す。この際、水が透明になるまで洗い流さないと、蒸煮後の大豆にひじきの浸漬水の色が移り、見た目が汚くなる。
ひじきの水が透明になるまで続け、透明になったら水を止め、ひじきはザルのまま放置し、充分水を切る。
大豆は通常の納豆製造の条件で浸漬する。
浸漬の終了した大豆を蒸煮釜に移すと同時に、前出の水を切ったひじきを添加していく。この際、大豆とひじきが均一に混じるように、掻き出し棒などで混合しながら、ひじきを徐々に添加していく。
ひじきが添加された大豆を蒸煮する。
蒸煮条件は通常の納豆を作る条件と同じであるため、大豆の粒形、品種等に合った蒸煮条件で蒸煮する。
蒸煮終了後の釜出しの際は、掻き出し棒で大豆とひじきが均一に混合するように攪拌しながら掻き出す。ひじきが塊にならないように注意する。
通常の納豆製造の条件で納豆菌を植菌し、容器への盛り込みを行う。
盛り込みの際、ひじきが容器の縁に付着して、発酵後の見た目が悪くなることを防ぐため、盛り込み機の豆払い金具を調整し、ひじきが容器の縁に付着することを防止する。
被膜をかけ、たれ、からし等を添付し、容器の蓋をし、発酵室に入れ発酵させる。
【０００６】
【発明の効果】
ひじきは調理の際水に戻さなければならないなど、調理に手間がかかる食材であるが、当発明では蒸煮大豆に混合し発酵しているため、納豆と一緒に掻き混ぜるだけでひじきを手軽に摂取することができる。
通常の納豆と比較し、鉄分などの栄養価が向上している。
大豆と一緒にひじきも蒸煮、発酵しているため、ひじきが軟らかくなっており、納豆に混じっていても異物感や異質感がなく、とても食べやすい。
納豆にひじきの風味が加わっているため、通常の納豆に比べ味と香りが向上している。
(57)【要約】      （修正有）【課題】個人情報を探し当てやすくする。【解決手段】外出中や営業中に特定の人と連絡を取らなければならない時に、その人の携帯番号や必要な情報の持ち合わせが無い場合、移動通信端末からサーバーやパソコンに接続して、必要な個人情報をその移動通信端末上に得る事ができるシステムである。個人情報は名刺やその他の情報を元にデータ−化しておく必要がある、個別にインプットが煩わしい場合には、スキャナーで読み取った情報を文字データ−や画像データーに変換して保管しておき、移動通信端末からの呼び出しに応じて文字、あるいは画像が送信される。【選択図】図１
2004194178.tif 000002
【特許請求の範囲】
【請求項１】
移動通信端末からサーバーにアクセスし、サーバーに保管されている個人情報や企業情報を画面上に表示させ、その情報から直接相手に電話ができるシステム。
【請求項２】
移動通信端末より常時接続のパソコンに接続し、パソコンに保管されている個人情報や企業情報を画面上に表示させ、その情報から直接電話ができるシステム。
【請求項３】
名刺等の文字データ−や画像データーを、移動通信端末に送信するための変換機能を持ったソフトウエア。
【発明の詳細な説明】
移動通信端末からサーバーあるいは、常時接続されたパソコンに接続し、必要な顧客情報を受信する事で、手元に顧客情報の持ち合わせが無くても、データ−ベースからインターネット網を介して顧客情報を入手出来るものである。そして、入手した電話番号に移動通信端末よりそのまま発信ができるものである。
【０００１】
【発明の属する技術分野】
移動通信端末からインターネット網を通じて、サーバーに保管してある文字情報と画像情報を見る事が出来るデータ−ベースの作成と活用に関するものである。
【０００２】
【従来の技術】
従来の移動通信端末には、電話番号や電子アドレスを個人情報として記録しておき、通信をするのに、その保管情報を使用して発信する事が可能であった。
携帯電話同士を微弱電波で通信をする事での名刺交換方法、名刺情報を入力して記憶させる方法（例えば、特許文献１参照。）。
あるいは、名刺交換の祭にＩＤを交換することで名刺管理サーバーに登録する方法（例えば、特許文献２参照。）。
あるいは、営業員に対して顧客情報を営業支援情報として活用するプログラム（例えば、特許文献３参照。）。
【０００３】
【参考文献１】
公開２００１−１１７８８３号公報
【参考文献２】
公開２００１−２４３４１３号公報
【参考文献３】
公開２００２−３２９０５４号公報
【０００４】
必要な顧客や個人の名前や役職等が一般的な名刺には記入されているが、その名刺の内容を手帳等に控えておくのを忘れたり、急遽訪問の必要性が生じた場合には、事務所に電話をして訪問する人の情報を確認する必要があるが、個人情報を共有化されていない場合が多く、うまく探し当てれない場合も発生している。
【０００５】
【発明が解決しょうとする課題】
出先等で急遽連絡する必要が出来たとき、顧客の電話番号や顧客情報を持ち合わせていない場合があり、事務所に連絡して必要な情報を取り寄せるのに、うまく捜し当てれない場合がある、そういった場合に顧客情報をデーターベース化しておく事で、他の人を頼る事なく自分の持っている移動通信端末で必要な情報を受信できる。
【０００６】
事務所等のパソコンが常時接続の環境下にあるときには、所定のソフトに入力する事で顧客情報をデーターベースとして登録され、移動通信端末からのアクセスする事により、必要な情報を入手できる。
【０００７】
事務所等のパソコンが常時接続の環境下に無い場合には、貸しサーバーを利用する事でその場所にアクセスする事で必要な情報を入手できる。
【０００８】
顧客情報はスキャナー等で読み取った情報を移動通信端末用の情報として文字情報や画像情報を小さくして保管しておくので、極めて軽い情報になり、ハードディスクの容量を心配する必要がない。
【０００９】
移動通信端末に文字情報や画像として受信されるので、人からの声を耳で聞く情報より間違いや勘違いが無く正確な情報受信が可能である。
【００１０】
【課題を解決するための手段】名刺等の情報を文字情報と画像情報にしてパソコンやサーバーに保管しておく。
【００１１】
その文字情報や画像情報を移動通信端末からアクセスできる様にしておく。
【００１２】
そして、必要な人を選択してパソコンやサーバーにアクセスして、個人情報を入手する。
【００１３】
移動通信端末に現れた情報を読み取る、またはその電話番号から直接相手の電話を呼び出し、会話する事ができる。
【発明の実施の形態】以下、本発明の実施の形態について、図面を参照して説明する。
【００１４】
図１、図２は、本発明の情報配信装置システムの全体構成を示す概略図であり、文字や画像等の情報を小さくして保管した情報を、移動通信端末やパソコンに送信ができる装置である。
【００１５】
図３以降は、本発明の利用方法を図示化したものである。
【００１６】
【発明の効果】急遽必要になった個人や企業情報を、第三者等の手を介する必要が無く、自分で必要な情報を選択して即時に入手が可能となる。       
【００１７】
名刺からの情報やその他からの個人情報を文字や画像情報を小さくして保管しておくので、動作も軽くハードディスクの負担にもならない。
【００１８】
【図面の簡単な説明】
【図１】本発明の移動体通信端末を利用した必要な情報を受信する為のシステム構成を示す概略図である。
【図２】本発明の移動体通信端末とサーバーを使用した必要な情報を受信する為のシステム構成を示す概略図である。
【図３】サーバーやパソコンに接続後、呼び出す人の会社名や個人名等の頭文字やグループ名を選択する。
【図４】必要な人名等を選択する。
【図５】人名を確認する。
【図６】サーバー内もしくはパソコン内の情報を検索。
【図７】個人情報が画面に現れる。このまま電話を選択すれば電話発信が行われる、停止を選択すると、サーバーとの接続が切られるが、画面内容は維持される。
【図８】画像情報を持つ人の場合に顔写真等の個人情報が現れる。
【符号の説明】
（図１）
1      パソコン
2      移動体通信端末
Ｎ１   インターネット網
Ｎ２   通信端末網
【図１】
2004194178.tif 000003
【図２】
2004194178.tif 000004
【図３】
2004194178.tif 000005
【図４】
2004194178.tif 000006
【図５】
2004194178.tif 000007
【図６】
2004194178.tif 000008
【図７】
2004194178.tif 000009
【図８】
2004194178.tif 000010